(57)【要約】【課題】電力消費の大きな流体輸送を用いずに、製函機から排出される切断屑を効果的に捕集でき、稼働時の消費エネルギの小さな段ボール箱製造プラントの切断屑搬送装置を得るにある。【解決手段】段ボール箱製造プラントに設置される製函機から排出される切断屑Ｘの下方に位置する略水平な取入部３ａを有する縦向きコンベア装置３であって、落下される前記切断屑Ｘを受けるように略水平方向に延長された取入端５ａ及び略垂直方向に延びる垂直搬送部５ｂを有する平ベルトからなる第１搬送ベルト５と、前記垂直搬送部５ｂ表面に接して同垂直搬送部５ｂ表面との間に切断屑Ｘを挟持するように設けられかつ前記第１搬送ベルト５に同期運動される第２搬送ベルト６とを備える段ボール箱製造プラントの切断屑搬送装置。【選択図】        図１
2004189406.tif 000002
【特許請求の範囲】
【請求項１】
段ボール箱製造プラントに設置される製函機から排出される切断屑の下方に位置する略水平な取入部を有する縦向きコンベア装置であって、落下される前記切断屑を受けるように略水平方向に延長された取入端及び略垂直方向に延びる垂直搬送部を有する平ベルトからなる第１搬送ベルトと、前記垂直搬送部表面に接して同垂直搬送部表面との間に切断屑を挟持するように設けられかつ前記第１搬送ベルトに同期運動される第２搬送ベルトとを備えることを特徴とする段ボール箱製造プラントの切断屑搬送装置。
【請求項２】
前記第１搬送ベルト及び前記第２搬送ベルトの少なくとも一方は外表面に可撓性突起を備え、切断屑はこれらの可撓性突起の変形により前記垂直搬送部表面と前記一般搬送部表面との間に弾力的に挟持されることを特徴とする段ボール箱製造プラントの切断屑搬送装置。
【請求項３】
前記第１搬送ベルトは略水平方向に延長とする排出端を有し、縦向きコンベア装置で略垂直方向に搬送された切断屑は同排出端から別の水平搬送手段に転送されることを特徴とする請求項１または請求項２記載の段ボール箱製造プラントの切断屑搬送装置。
【発明の詳細な説明】
【０００１】
【発明の属する技術分野】
本発明はダンボール函に関し、特に段ボール箱製造プラントの切断屑搬送装置に関する。
【０００２】
【背景技術】
周知のように、ダンボール紙を素材とする段ボール箱製造プラントにおいては、段ボール箱製造プラントの切断屑搬送装置Ａで切断されたブランク片や切取片等の切断屑を一箇所に集めて処理する必要があるが、このような切断屑の処理のため、従来では、図６に示すような切断屑搬送装置が用いられている。
【０００３】
即ち、段ボール箱製造プラントの製函機Ａで排出される切断屑は排出ダクトＤに取り込まれ、同排出ダクトＤ中に位置された圧送ブロアＢで細かい破砕片に砕かれ、サイクロンＳに流体輸送される。
そして、サイクロンＳ中で破砕片が捕集され、同サイクロンＳの下部排出口Ｅから落下排出された破砕片が廃棄物として処理される。更には大きな風送音や飛散する紙屑で労働環境を悪くしている。
【０００４】
【発明が解決しようとする課題】
ところで、従来の段ボール箱製造プラントの切断屑搬送装置においては、流体輸送により製函機Ａで排出された切断屑を捕集するから、切断屑の排出の有無や多少に拘わらず、風量の大きな圧送ブロアＢを常時稼働させておく必要があり、この圧送ブロアＢのための駆動モータＭの消費電力が非常に大きなものとなり、プラント稼働時に占めるランニングコストが割高なものとなっている。
【０００５】
本発明の目的は、以上に述べたような従来の段ボール箱製造プラントの切断屑搬送装置の問題に鑑み、電力消費の大きな流体輸送を用いずに、製函機から排出される切断屑を効果的に捕集でき、稼働時の消費エネルギの小さく、労働環境を改善できる段ボール箱製造プラントの切断屑搬送装置を得るにある。
【０００６】
【課題を解決するための手段】
この目的を達成するため、本発明は、段ボール箱製造プラントに設置される製函機から排出される切断屑の下方に位置する略水平な取入部を有する縦向きコンベア装置であって、落下される前記切断屑を受けるように略水平方向に延長された取入端及び略垂直方向に延びる垂直搬送部を有する平ベルトからなる第１搬送ベルトと、前記垂直搬送部表面に接して同垂直搬送部表面との間に切断屑を挟持するように設けられかつ前記第１搬送ベルトに同期運動される第２搬送ベルトとを備える段ボール箱製造プラントの切断屑搬送装置により達成される。
【０００７】
後述する本発明の好ましい実施例の説明においては、
１）前記第１搬送ベルト及び前記第２搬送ベルトの少なくとも一方は外表面に可撓性突起を備え、切断屑はこれらの可撓性突起の変形により前記垂直搬送部表面と前記一般搬送部表面との間に弾力的に挟持される構造、
２）前記第１搬送ベルトは略水平方向に延長とする排出端を有し、縦向きコンベア装置で略垂直方向に搬送された切断屑は同排出端から別の水平搬送手段に転送される構造
が説明される。
【０００８】
【発明の実施の形態】
以下、図１から図５について本発明の実施例の詳細を説明する。
図１は本発明による切断屑搬送装置と製函機Ａとの関係を示し、製函機Ａで発生した切断屑Ｘは製函機Ａの下部に位置された切断屑ホッパ１中に落下される。
【０００９】
そして、切断屑ホッパ１内の切断屑Ｘは風力コンベア２の作用により矢印方向に送られ縦向きコンベア装置３の取入部３ａに引き渡される。
切断屑Ｘを捕集・搬送する縦向きコンベア装置３は、段ボール箱製造プラントのフロア面から略垂直に立ち上がっており、複数基の製函機Ａからの切断屑Ｘを捕集する天井部の横行コンベアＴに切断屑Ｘを引き渡す。
【００１０】
略垂直方向へ切断屑Ｘを搬送する縦向きコンベア装置３は前記切断屑ホッパ１の排出口１ａの直下に位置した取入部３ａを備え、縦向きコンベア装置３は取入部３ａから略垂直方向に立ち上がったコンベアフレーム４Ａを有しており、同コンベアフレーム４Ａには垂直搬送部５ｂと一般搬送部６ｂを接触状態におかれる無端状の第１搬送ベルト５及び第２搬送ベルト６が架設される。
即ち、平ベルトからなる第１搬送ベルト５は排出口１ａから落下される前記切断屑Ｘを受けるように取入部３ａ内で略垂直方向に延長した取入端５ａを備え、この第１搬送ベルト５の垂直搬送部５ｂは前記コンベアフレーム４Ａに沿って上下方向に延びている。また、第１搬送ベルト５と同様に平ベルトで構成する第２搬送ベルト６の入口端６ａは相互間に切断屑Ｘを挟持状態におけるように前記取入端５ａに対して傾斜状態におかれている。
【００１１】
そして、コンベアフレーム４Ａに沿って上下方向に延長する第２搬送ベルト６の一般搬送部６ｂの表面は相互間に切断屑Ｘを挟持・搬送できるように第２搬送ベルト６の前記垂直搬送部５ｂの表面に接触状態とされ、この接触状態を保つために垂直搬送部５ｂ及び一般搬送部６ｂの両側に沿って配列された多数の抑えホィール８が設けられる。
図３及び図４に示すように、これらの抑えホィール８は接触状態におかれる垂直搬送部５ｂ及び一般搬送部６ｂの両側に沿った状態でコンベアフレーム４Ａに固定されるホィールフレーム９Ａ，９Ｂにそれぞれ回転可能に支持され、これらの抑えホィール８のバックアップにより垂直搬送部５ｂと一般搬送部６ｂは、相互間に切断屑Ｘを挟持した状態でも、それらの接触状態を維持する。
【００１２】
図５に拡大して示すように、図示実施例の場合、第１搬送ベルト５の外面には摩擦係数の大きな柔軟な可撓性突起１０が全面に亘って形成され、これらの可撓性突起１０の弾性変形により垂直搬送部５ｂと一般搬送部６ｂとの間に厚みのある切断屑Ｘであっても確実に挟持・搬送される。
勿論、同可撓性突起１０は第１搬送ベルト５の外表面ばかりでなく、第２搬送ベルト６の外表面にも形成してもよいが、可撓性突起１０の有無は切断屑Ｘの厚みや大きさを考慮して選択できる。
【００１３】
前述した第１搬送ベルト５及び第２搬送ベルト６は、縦向きコンベア装置３の上端部である排出部３ｂに設けられる第１駆動モータ１１及び第２駆動モータ１２により同期的にそれぞれ駆動されるが、第１搬送ベルト５の排出端５ｃは同排出部３ｂ内で略水平方向に延長する。表面に切断屑Ｘを乗せた状態で駆動される第１搬送ベルト５の排出端５ｃは、構内天井部に設けられる横行コンベアＴに臨ませてあるから、切断屑搬送装置で搬送・上昇された切断屑Ｘは同横行コンベアＴの駆動により集積場所まで移動され、廃棄処理される。
図示実施例の横行コンベアＴは、側方への切断屑Ｘの脱落を防止するために幅方向中央部を凹状態とした平ベルトコンベアである場合を示すけれども、他の構造のコンベアであってもよい。
【００１４】
図示実施例の切断屑搬送装置は、以上のような構造であるから、製函機Ａから切断屑ホッパ１へ落下された切断屑Ｘは風力コンベア２により切断屑ホッパ１の排出口１ａへ排出されるけれども、同排出口１ａから出た切断屑Ｘは第１搬送ベルト５の取入端５ａ上に乗る。
そして、第１駆動モータ１１及び第２駆動モータ１２の同期駆動により切断屑Ｘは第１搬送ベルト５の垂直搬送部５ｂと第２搬送ベルト６の一般搬送部６ｂとの間に挟持されてコンベアフレーム４Ａに沿って上昇され、上昇後に第１搬送ベルト５の排出端５ｃから横行コンベアＴ上に落下され、同横行コンベアＴにより廃棄処理場所まで運ばれることになる。
【００１５】
したがって、図示実施例の切断屑搬送装置においては、第１駆動モータ１１及び第２駆動モータ１２で駆動される第１搬送ベルト５及び第２搬送ベルト６で切断屑Ｘの捕集・移送を行うため、圧送ブロアやサイクロンを用いる従来の切断屑搬送装置に比較して消費電力が極めて小さく、ランニングコストの小さなもので、労働環境を改善したものを提供できる。
【００１６】
【発明の効果】
以上の説明から明らかなように、本発明によれば、ランニングコストが小さく、多数の製函機から排出される切断屑を確実に捕集・搬送できる切断屑搬送装置を得ることができる。
【図面の簡単な説明】
【図１】本発明による切断屑搬送装置を備えた段ボール箱製造プラントの正面図である。
【図２】同切断屑搬送装置の側面図である。
【図３】同切断屑搬送装置の図１要部拡大断面図である。
【図４】一部を破断して示す図２の要部拡大側面図である。
【図５】同切断屑搬送装置の第１搬送ベルト及び第２搬送ベルトの要部拡大断面図である。
【図６】従来の切断屑処理装置の概念図である。
【符号の説明】
Ａ        製函機
Ｘ        切断屑
１        切断屑ホッパ
２        風力コンベア
３        縦向きコンベア装置
３ａ      取入部
４        横行コンベア
５        第１搬送ベルト
５ａ      取入端
５ｂ      垂直搬送部
５ｃ      排出端
６        第２搬送ベルト
６ｂ      一般搬送部
８        抑えホィール
９Ａ，９Ｂ  ホィールフレーム
１０      可撓性突起
１１      第１駆動モータ
１２      第２駆動モータ
【図１】
2004189406.tif 000003
【図２】
2004189406.tif 000004
【図３】
2004189406.tif 000005
【図４】
2004189406.tif 000006
【図５】
2004189406.tif 000007
【図６】
2004189406.tif 000008